(57)【要約】【課題】振動や騒音を低減したクローポール型モータ及びポンプを提供する。【解決手段】磁極１８とロータ８との間の距離がロータ８の回転に伴い大きくなるように構成されており、ロータ８の回転に伴い出力トルクが滑らかに低下する。これにより、爪磁極１８間における出力トルクの変化量が小さくなり、振動や騒音を低減することができる。またロータ８の回転角に応じて出力トルクが変化するので、逆起電力や電流波形からロータ８の回転角を検出し、センサレス制御を行うことが容易になる。【選択図】図２
2009077530.tif 000002
【特許請求の範囲】
【請求項１】
マグネットを有するロータと、巻線への通電に伴い励磁されてマグネットとの間にロータの回転駆動力としての吸引反発力を生成する爪磁極を有するステータとを備えるクローポール型モータであって、前記ロータと前記爪磁極との間の距離がロータの回転方向で変化していることを特徴とするクローポール型モータ。
【請求項２】
請求項１に記載のクローポール型モータにおいて、前記爪磁極が前記ロータとの対向方向に対し傾きを有することを特徴とするクローポール型モータ。
【請求項３】
請求項２に記載のクローポール型モータにおいて、隣り合う爪磁極が前記ロータの回転方向で重なる領域を有することを特徴とするクローポール型モータ。
【請求項４】
請求項１に記載のクローポール型モータにおいて、前記爪磁極が平板形状を有することを特徴とするクローポール型モータ。
【請求項５】
請求項１乃至請求項４のうち、いずれか１項に記載のクローポール型モータにおいて、前記ロータ及び前記ステータがそれぞれ分離板を挟んで内側及び外側に配置されているインナーロータ構造であることを特徴とするクローポール型モータ。
【請求項６】
請求項１乃至請求項４のうち、いずれか１項に記載のクローポール型モータにおいて、前記ロータ及び前記ステータがそれぞれ分離板を挟んで外側及び内側に配置されているアウターロータ構造であることを特徴とするクローポール型モータ。
【請求項７】
請求項１乃至請求項６のうち、いずれか１項に記載のクローポール型モータにおいて、前記ステータが圧粉鉄心により形成されていることを特徴とするクローポール型モータ。
【請求項８】
請求項１乃至請求項７のうち、いずれか１項に記載のクローポール型モータにおいて、前記ステータ、及び前記ステータ内の巻線への通電を制御する制御回路がモールド樹脂により被覆されていることを特徴とするクローポール型モータ。
【請求項９】
請求項１乃至請求項８のうち、いずれか１項に記載のクローポール型モータを液体を吸排する羽根車の回転駆動源として利用することを特徴とするポンプ。
【発明の詳細な説明】
【技術分野】
【０００１】
本発明は、液体を吸排するポンプを構成する羽根車の回転駆動源として利用して好適な、クローポール型モータに関する。
【背景技術】
【０００２】
従来より、トルク出力を大きくするために爪磁極とロータ間の距離を最小の磁気ギャップで一定に構成したクローポール型モータが知られている。
【特許文献１】特開２００５−５１９６８号公報（図３参照）
【特許文献２】特開２００４−１６６３９５号公報（図２参照）
【特許文献３】特開２００２−３５９９５８号公報（図４参照）
【発明の開示】
【発明が解決しようとする課題】
【０００３】
従来のクローポール型モータによれば、ロータに爪磁極が対向している領域（対向領域）では磁気抵抗がほぼ一定になるが、ロータに爪磁極が対向していない爪磁極間の領域（非対向領域）では磁気抵抗が大きく変化する。このため、従来のクローポール型モータによれば、対向領域と非対向領域間において出力トルクが急激に変化することによって出力トルクの高調波成分が発生し（図３（ｂ）参照）、振動や騒音が大きくなる。なお特許文献１，３には、爪磁極間で回転方向の幅を変化させる、又は、爪磁極を三角形状にして爪磁極のピッチを変化させることにより振動や騒音の低減を図るクローポール型モータが開示されているが、このような構成によれば、ロータとの間の磁気吸引力が爪磁極毎に異なることになるために、依然として振動や騒音が発生する可能性がある。また特許文献２には、回転方向の幅が先端に至る程順次小さくなる階段状に爪磁極を形成することにより振動や騒音の低減を図るクローポール型モータが開示されているが、このような構成によれば、ロータに対向する爪磁極の面積が減少するので、出力トルクが小さくなる。
【０００４】
本発明は、上記課題を解決するためになされたものであり、振動や騒音を低減させたクローポール型モータ及びポンプを提供することにある。
【課題を解決するための手段】
【０００５】
本発明に係るクローポール型モータ及びポンプは、ロータと爪磁極との間の距離がロータの回転方向で変化していることを特徴とする。
【発明の効果】
【０００６】
本発明に係るクローポール型モータ及びポンプによれば、爪磁極間における出力トルク波形の変化を滑らかにすることができるので、振動や騒音を低減することができる。
【発明を実施するための最良の形態】
【０００７】
以下、図面を参照して、本発明に係るクローポール型モータを適用した本発明の実施形態となるポンプの構成について説明する。
【０００８】
〔ポンプの全体構成〕
本発明の実施形態となるポンプは、図１に示すように、液体を吸排する羽根車１と、液体を吸排させる吸入口２及び吐出口３を有するポンプケース４と、羽根車１を回転自在に収容するポンプ室５をポンプケース４と対をなして形成する分離板６と、羽根車１を回転駆動させるマグネット７を有したロータ８と、ロータ８に回転駆動力を伝達する爪磁極１８を有したステータ１０と、ステータ１０に発生させる磁界を制御する制御基板１１とを備えるクローポール型モータを駆動源としている。すなわち本発明の実施形態となるポンプは、分離板６を挟んで内側にロータ８を配置し、且つ、外側にステータ１０を配置した、いわゆるインナー型ロータ構造のクローポール型モータを駆動源としたポンプ構造となっている。
【０００９】
ポンプ室５は、天面中央に開口された吸入口２と側壁に設けられた吐出口３とを有したポンプケース４に、ロータ８とステータ１０を水密状態に分離（ポンプ部とモータ部を分離）する分離板６が結合されることにより形成されている。ポンプケース４と分離板６の結合部分には、ポンプ部とモータ部を水密状態に仕切るためにシール部材９を介在させている。
【００１０】
ロータ８は、羽根車１に一体的に設けられた円筒体として形成され、その円筒部の外壁に磁気回路（磁束）を構成するマグネット７を設けている。ロータ８は、ポンプケース４に設けられた軸支え部１２と分離板６に設けられた軸支え部１３に各端部を挿入嵌合させた固定軸１４に対して、軸受け部１５を介して回転自在に支承されている。固定軸１４は、その両端側に取り付けられた回り止め板１６，１７により回転不可能とされている。マグネット７と分離板６との間にはロータ８の回転時に接触しない程度の隙間（クリアランス）が確保されている。羽根車１は、ロータ８と一体化されていることから固定軸１４を中心に回転し、吸入口２からポンプ室５内へと吸い込んだ液体に遠心力を与えて吐出口３からポンプ外へと排出する。
【００１１】
ステータ１０は、ロータ８の外側に分離板６を挟んで対向配置されている。ステータ１０は、複数個の爪磁極（クローポール）１８を有した圧粉鉄心に絶縁板１９を介してコイル（巻線）２０を配置させた構成とされ、分離板６に対して面接触させている。ロータ８と分離板６との間にはクリアランスを設けたが、ステータ１０と分離板６との間にはクリアランスを設けることなく面接触状態で接触させている。これによりコイル２０に通電することで発生した磁界を爪磁極１８からロータ８へと効率良く伝達することができる。
【００１２】
制御板１１は、分離板６の背面に設けられ、位置検出センサである位置検出部２１からの信号を受けてコイル２０で発生した磁界を制御する。またこのポンプでは、ポンプケース４を除いた部位全体がモールド樹脂２２で覆われている。つまり、分離板６とステータ１０と制御板１１とがモールド樹脂２２で被覆されている。
【００１３】
このように構成されたポンプにおいては、コイル２０への通電により発生する磁界が爪磁極１８からマグネット７へと伝達されることによりマグネット７が吸引反発することで、ロータ８と一体的に設けられた羽根車１が固定軸１４を中心として回転する。この羽根車１の回転に伴いポンプ作用が発生し、液体が吸入口２よりポンプ室５内へと吸込まれ、ポンプ室５内で加圧され周囲方向へ圧送された液体は吐出口３からポンプ外へと吐出される。
【００１４】
〔爪磁極の構成〕
爪磁極１８は、図２（ａ）に示すようにロータ８の回転方向上流側の端部１８ａをロータ８の回転方向下流側の端部１８ｂと比較してロータ８側に近づけることにより、ロータ８の回転に伴いロータ８との間の距離が大きくなるように構成されている。従来のクローポール型モータでは、図３（ａ）に示すように爪磁極５０とロータ８間の距離がロータ８の回転方向で一定であったために、図２（ｂ）に示すように爪磁極５０間に対応する位置において出力トルクが急激に低下していた。このため、従来のクローポール型モータによれば、爪磁極５０間において出力トルクの変化量が大きくなり、振動や騒音の原因となっていた。
【００１５】
これに対して、本実施形態となるクローポール型モータでは、上述の通り、磁極１８とロータ８との間の距離がロータ８の回転に伴い大きくなるように構成されているので、図２（ｂ）に示すようにロータ８の回転に伴い出力トルクが滑らかに低下する。従って、本実施形態となるクローポール型モータによれば、爪磁極１８間における出力トルクの変化量が小さくなり、振動や騒音を低減することができる。またこのような構成によれば、ロータ８の回転角に応じて出力トルクが変化するので、逆起電力や電流波形からロータ８の回転角を検出し、センサレス制御を行うことが容易になる。またステータ１０は圧粉鉄心により形成され、渦電流がほとんど流れないので、電磁鋼板を積層してステータを形成した場合と同等以上の出力性能を実現することができる。
【００１６】
なお本実施形態において、図４（ａ）に示すように隣り合う爪磁極１８がロータ８の回転方向で重なる領域を有するようにしてもよい。このような構成によれば、図４（ｂ）に示すように爪磁極１８間における磁気抵抗の変化量をより小さくすることができるので、振動や騒音をより低減することが可能になる。また図５（ａ）に示すように磁極１８を平板形状にすることにより磁極１８とロータ８との間の距離をロータ８の回転方向で変化させるようにしてもよい。この場合も同様に図５（ｂ）に示すように爪磁極１８間における磁気抵抗の変化量をより小さくすることができるので、振動や騒音をより低減することが可能になる。
【００１７】
以上、本発明者らによってなされた発明を適用した実施の形態について説明したが、この実施の形態による本発明の開示の一部をなす論述及び図面により本発明は限定されることはない。例えば、本実施形態は本発明に係るクローポール型モータをインナー型ロータ構造のクローポール型モータを駆動源としたポンプに適用したものであるが、本発明はこの実施形態に限られることはなく、図６に示すような、分離板６を挟んで外側にロータ８を配置し且つ内側にステータ１０を配置したアウター型ロータ構造のクローポール型モータを駆動源としたポンプ構造にも適用することができる。このように、上記実施の形態に基づいて当業者等によりなされる他の実施の形態、実施例及び運用技術等は全て本発明の範疇に含まれることは勿論であることを付け加えておく。
【図面の簡単な説明】
【００１８】
【図１】本発明の実施形態となるポンプの構成を示す断面図である。
【図２】本発明の実施形態となる爪磁極の構成及び出力トルク波形を示す図である。
【図３】従来の爪磁極の構成及び出力トルク波形を示す図である。
【図４】図２に示す爪磁極の変形例の構成及び出力トルク波形を示す図である。
【図５】図２に示す爪磁極の変形例の構成及び出力トルク波形を示す図である。
【図６】本発明の他の実施形態となるポンプの構成を示す断面図である。
【符号の説明】
【００１９】
１：羽根車
２：吸入口
３：吐出口
４：ポンプケース
５：ポンプ室
６：分離板
７：マグネット
８：ロータ
９：爪磁極
１０：ステータ
１１：制御基板
１８：爪磁極（クローポール）
１９：絶縁板
２０：コイル（巻線）
【図１】
2009077530.tif 000003
【図２】
2009077530.tif 000004
【図３】
2009077530.tif 000005
【図４】
2009077530.tif 000006
【図５】
2009077530.tif 000007
【図６】
2009077530.tif 000008